(57)【特許請求の範囲】
【請求項１】
ハンドホールなどの壁面に設けられた配管用貫通孔に、螺旋波付可撓管からなる地中埋設管を、地中埋設管の外側に螺合される締付部材と地中埋設管の先端に螺着したベルマウスとで固定する接続構造によって、地中埋設管を接続する方法であって、
前記地中埋設管の接続構造では、
前記締付部材は、フランジ部材とネジ部材とを有しており、
フランジ部材は、前記壁面に向かって押圧されるフランジ部と、フランジ部に設けられたリング状の第１シール部材とを一端部に有しつつ、
ネジ部材は少なくともその内面が地中埋設管の螺旋波形に対応する螺合部を有し、ネジ部材の螺合部と地中埋設管とは第１のピッチのネジで螺合しており、
かつ、フランジ部材には筒状の第１筒部が設けられると共に、ネジ部材には筒状の第２筒部が設けられ、第１筒部と第２筒部の一方が他方の内側に入りこむようにされて、
第１筒部と第２筒部とは、地中埋設管の中心軸回りに相対回転可能なように、第２のピッチのネジで螺合しており、
第１のピッチと第２のピッチが異なるピッチであるように
地中埋設管の接続構造が構成されるとともに、
前記地中埋設管の接続方法は、
ネジ部材の螺合部が地中埋設管の管中央側に位置するように、締付部材を回転させて地中埋設管にねじ込む工程と、
地中埋設管の先端を、ハンドホールの外側から配管用貫通孔に挿通し、挿通された地中埋設管の先端にベルマウスを螺着する工程と、
ネジ部材を回転させて、締付部材をハンドホールの壁面に圧接する工程を有し、
前記圧接工程において、
フランジ部に設けられた第１シール部材がハンドホール壁面に当接した後は、フランジ部材は回転させずに、ネジ部材のみを回転させて締め付け、
壁を内外両面からベルマウスとフランジ部材とで挟持した状態で、地中埋設管を配管用貫通孔に固定する、
地中埋設管の接続方法。
【請求項２】
前記接続構造において、第１のピッチと第２のピッチの符号が異なり、一方のネジが他方のネジに対し逆ネジとなっている請求項１に記載の地中埋設管の接続方法。
【発明の詳細な説明】
【技術分野】
【０００１】
本発明は、地中埋設管の接続構造に関する。特に、螺旋波付可撓管からなる地中埋設管を、ハンドホールなどの壁面に設けられた配管用貫通孔に接続する構造に関する。
【背景技術】
【０００２】
従来、地中埋設管をハンドホールなどの壁面に固定するには、ハンドホールなどの壁面に穿設した配管用貫通孔に地中埋設管の先端を挿通後、配管用貫通孔の内側より地中埋設管の先端部にベルマウスと称されるラッパ型の開口部を有する管状部材を地中埋設管の管体の螺旋形状を利用して螺入するとともに、接着材で地中埋設管を配管用貫通孔に固定していた。また、特許文献１や特許文献２には、地中埋設管のハンドホールへの接続構造として、地中埋設管の内側に螺着するベルマウス部材と、地中埋設管の外側に螺着するホルダー（締付部材）により、ハンドホール壁を挟持して地中埋設管をハンドホールの配管用貫通孔に固定する接続構造が開示されている。
【先行技術文献】
【特許文献】
【０００３】
【特許文献１】特開平１１−２６６５１９号公報
【特許文献２】特開２００９−１３０９９５号公報
【発明の概要】
【発明が解決しようとする課題】
【０００４】
特許文献１や特許文献２の地中埋設管の接続構造においては、ハンドホール内部に水が浸入しないように、ハンドホール壁面とホルダー（締付部材）との間にシール部材を挟み込んで、当該部位をシールする必要がある。そのため、こうした地中埋設管の接続構造においては、ホルダーを管の中心軸回りに回転させながら、ハンドホール壁面に向かって前進させ、ホルダーとベルマウスでハンドホールの壁を挟み込んで接続構造を完成させる必要がある。しかしながら、シールが確実になされるように、この締め込み作業を行うのはなかなか難しい。
【０００５】
すなわち、特許文献１や特許文献２の地中埋設管の接続構造においては、接続操作の際に、相対回転するハンドホール壁面とホルダーの間にシール部材が設けられているため、シール部材とハンドホール壁面の間で強い摩擦が発生して、ホルダーを十分に締めこむことができなくなることがある。地中埋設管の螺旋のピッチが大きい場合に、特に、このような締付不良が発生しやすくなる。一方、地中埋設管の螺旋のピッチが小さいと、ホルダーを回転させても、なかなかホルダーが前進せず、締付作業が煩雑になってしまう。
【０００６】
このように、従来の地中埋設管の接続構造においては、地中埋設管が有する螺旋のピッチの大小によって、接続作業の作業性の良し悪しが影響を受けやすく、その改善が望まれるに至った。
【０００７】
本発明の目的は、締め込み操作がしやすい地中埋設管の接続方法を提供することにある。すなわち、あらかじめ定められたピッチを有する地中埋設管を使用する場合であっても、締付トルクの多寡や、締付操作の迅速性について調整が可能な、地中埋設管の接続方法を提供することにある。
【課題を解決するための手段】
【０００８】
発明者は、鋭意検討の結果、締付部材を、フランジ部材とネジ部材とを有するように分割して構成し、フランジ部材とネジ部材とをネジ結合し、当該ネジのピッチと、地中埋設管の螺旋のピッチを異なるピッチとすると、上記課題を解決できることを知見し、本発明を完成させた。
【０００９】
本発明は、ハンドホールなどの壁面に設けられた配管用貫通孔に、螺旋波付可撓管からなる地中埋設管を、地中埋設管の外側に螺合される締付部材と地中埋設管の先端に螺着したベルマウスとで固定する接続構造によって、地中埋設管を接続する方法であって、前記地中埋設管の接続構造では、前記締付部材は、フランジ部材とネジ部材とを有しており、フランジ部材は、前記壁面に向かって押圧されるフランジ部と、フランジ部に設けられたリング状の第１シール部材とを一端部に有しつつ、ネジ部材は少なくともその内面が地中埋設管の螺旋波形に対応する螺合部を有し、ネジ部材の螺合部と地中埋設管とは第１のピッチのネジで螺合しており、かつ、フランジ部材には筒状の第１筒部が設けられると共に、ネジ部材には筒状の第２筒部が設けられ、第１筒部と第２筒部の一方が他方の内側に入りこむようにされて、第１筒部と第２筒部とは、地中埋設管の中心軸回りに相対回転可能なように、第２のピッチのネジで螺合しており、第１のピッチと第２のピッチが異なるピッチであるように地中埋設管の接続構造が構成されるとともに、前記地中埋設管の接続方法は、ネジ部材の螺合部が地中埋設管の管中央側に位置するように、締付部材を回転させて地中埋設管にねじ込む工程と、地中埋設管の先端を、ハンドホールの外側から配管用貫通孔に挿通し、挿通された地中埋設管の先端にベルマウスを螺着する工程と、ネジ部材を回転させて、締付部材をハンドホールの壁面に圧接する工程を有し、前記圧接工程において、フランジ部に設けられた第１シール部材がハンドホール壁面に当接した後は、フランジ部材は回転させずに、ネジ部材のみを回転させて締め付け、壁を内外両面からベルマウスとフランジ部材とで挟持した状態で、地中埋設管を配管用貫通孔に固定する、地中埋設管の接続方法である（第１発明）。
【００１０】
第１発明においては、第１のピッチと第２のピッチの符号が異なり、一方のネジが他方のネジに対し逆ネジとなっていることが好ましい（第２発明）。
【発明の効果】
【００１１】
本発明の地中埋設管の接続方法（第１発明）によれば、接続操作の際のネジ部材の回転とフランジ部材の前進との関係を、地中埋設管の螺旋形状により定められる関係とは別の関係に変更することができ、接続操作の際の締め込み操作をしやすくできる。また、本発明の地中埋設管の接続方法によれば、フランジ部材と壁面の間のシール性が不十分になることが抑制される。
【００１２】
さらに、第２発明のようにすれば、ネジ部材による締め込みが迅速に行える。
【図面の簡単な説明】
【００１３】
【図１】第１実施形態の地中埋設管の接続構造を示す一部断面図である。
【図２】第１実施形態の地中埋設管の接続構造に用いられる締付部材の構造を示す一部断面図である。
【図３】第１実施形態の地中埋設管の接続操作の過程を示す一部断面図である。
【図４】第２実施形態の地中埋設管の接続構造に用いられる締付部材の構造を示す一部断面図である。
【発明を実施するための形態】
【００１４】
以下図面を参照しながら、地中埋設管がハンドホールの壁面に接続される際の発明の実施形態について説明する。発明は以下に示す個別の実施形態に限定されるものではなく、その形態を変更して実施することもできる。地中埋設管の接続対象は、ハンドホールに限定されず、マンホールや情報ボックス等であってもよい。地中埋設管は、内部に電線や光ファイバなどのケーブルが通される管路とされることが多いが、具体的用途はこれら通信用途や通電用途に限定されない。
【００１５】
図１は、第１実施形態の地中埋設管の接続構造を示す一部断面図であり、図２は、接続に用いられる締付部材１である。これらの図では、各部材の記載を、中心軸ｍの上側を断面図で、下側では外観図で示している。なお、地中埋設管３については、管全体を主に外観図で示し、先端部のみを一部断面で示している。
【００１６】
地中埋設管３は、ハンドホールの壁４に設けられた配管用貫通孔４ｂに挿通され、地中埋設管３の外側に螺着される締付部材１と、地中埋設管３の先端部内側に螺着されるベルマウス２とが壁４を挟持することによって、ハンドホールに接続固定されている。なお、以下の記載において、図１ないし図４において左側、即ち、ハンドホールの内側や、地中埋設管の管端に向う側を「管端部側」とし、図１ないし図４において右側、即ち、ハンドホールの外側や、地中埋設管の中央部に向う側を「管中央側」として説明する。
【００１７】
地中埋設管３は、大径部と小径部がその軸線方向に交互に設けられたじゃばら状の管壁を有する可撓管であり、特に、大径部と小径部は螺旋状に設けられている。すなわち、地中埋設管３はいわゆる螺旋波付可撓管からなるものであり、典型的には合成樹脂（例えばポリエチレン樹脂）により形成されている。ここで、地中埋設管３の螺旋のピッチを、第１のピッチＰ１とする。
【００１８】
地中埋設管３の先端内側には、ベルマウス２が螺着して取り付けられている。ベルマウス２は、螺着する地中埋設管３の内径よりもその外径がやや小さく形成された円筒状の本体部２１を有し、この本体部２１の外周面には地中埋設管３への螺着時にネジ山となる凸部２１ｂが螺旋状に形成されている。ベルマウス２の本体部２１の管端部側には、貫通孔２１ｄを有する円盤状のフランジ部２１ｃが一体に形成されている。このフランジ部２１ｃのハンドホールの壁面に対向する面に、薄いドーナツ状のシール部材を密着固定すれば、水密性を更に高めることができる。なお、図１の例のように、上記シール部材は、省略してもよい。また、ベルマウス２の具体的形状は、地中埋設管３が管中央側に貫通孔４ｂから抜け出してしまうことを阻止できる限りにおいて、変更してもよく、ベルマウス２を他の構成としてもよい。例えば、ベルマウスを地中埋設管３の外側に螺着させる構成としてもよい。
【００１９】
締付部材１について説明する。締付部材１は、地中埋設管３の螺旋波付じゃばら状の外面と螺合するようにされていて、接続操作の際に締付部材１を回転させて締め付けることで、ベルマウス２と締付部材１の間にハンドホールの壁４が挟持されて、地中埋設管１がハンドホールの配管用貫通孔４ｂに接続固定される。
【００２０】
締付部材１は、フランジ部材１１とネジ部材１２とを有している。
フランジ部材１１は、管端部側の一端にフランジ部１１ａを有している。締付部材１の締め付けにより、フランジ部１１ａがハンドホール壁面４ａに向かって押圧される。また、フランジ部材１１は、リング状の第１シール部材１３を有しており、第１シール部材１３はフランジ部１１ａに設けられている。また、本実施形態のフランジ部材１１は、地中埋設管３の外周に配置される円筒状の筒状部１１ｂを有している。
【００２１】
締付部材１のネジ部材１２は、少なくともその内面が地中埋設管３の螺旋波形に対応する螺合部１２ａを有している。すなわち、ネジ部材１２の螺合部１２ａと地中埋設管３とは第１のピッチＰ１のネジで螺合している。ネジ部材１２を地中埋設管３に対して回転させることで、締付部材１が前進／後退して、接続操作がなされる。本実施形態においては、螺合部１２ａよりも管端部側に円筒状の拡径部１２ｂが設けられており、拡径部１２ｂと螺合部１２ａとは、フランジ状に設けられた接続壁１２ｃにより接続されている。また、ネジ部材１２の螺合部１２ａの内周には、波形に沿うように円筒状の第３シール部材１５が一体化されている。
【００２２】
フランジ部材１１とネジ部材１２とは、互いに接合もしくは固定されておらず、地中埋設管３の中心軸ｍ回りに相対回転可能にされており、両者は第２のピッチＰ２のネジで螺合している。
即ち、フランジ部材１１には筒状の第１筒部（１１ｂ）が設けられると共に、ネジ部材１２には筒状の第２筒部（１２ｂ）が設けられ、第１筒部と第２筒部の一方が他方の内側に入りこむようにされていて、第１筒部と第２筒部とが、互いにピッチＰ２のネジで螺合している。本実施形態においては、上記第１筒部に筒状部１１ｂが対応し、上記第２筒部に拡径部１２ｂが対応していて、フランジ部材の筒状部１１ｂにネジ山１１ｃが設けられて雄ネジとなり、螺旋状波形に形成されたネジ部材拡径部１２ｂの内側に入り込んで、両者が螺合する構造となっている。ネジ山の具体的な形状等は特に限定されない。
【００２３】
地中埋設管３とネジ部材１２が螺合する第１のピッチＰ１と、フランジ部材１１とネジ部材１２が螺合する第２のピッチＰ２とは、異なるピッチとされている。ここで、ピッチが異なるとは、ネジを回転させた際の前進／後退量の絶対値が異なる状態を含み、かつ、ネジを所定の方向に回転させた際の前進／後退の方向（すなわちピッチの符号）が異なる状態も含む。本実施形態においては、第１のピッチと第２のピッチの符号が異なり、一方のネジが他方のネジに対し逆ネジとなっている。具体的には、第１のピッチのネジは右ネジに、第２のピッチのネジは左ネジに設けられている。また、第１のピッチＰ１の絶対値に比べ、第２のピッチＰ２の絶対値が小さくなっている。後述する第２実施形態のように、ピッチの符号は同じにして、第１のピッチと第２のピッチの絶対値を異ならせてもよい。あるいは、ピッチの絶対値を同じにして、ピッチの符号が異なるようにしてもよい。
【００２４】
フランジ部材１１とネジ部材１２の間には、環状の第２シール部材１４が半径方向に挟まれるように設けられていることが好ましい。第２シール部材を、管軸方向に挟まれるようにすることもできる。本実施形態においては、螺合している第１筒部（筒状部１１ｂ）と第２筒部（拡径部１２ｂ）の間に、半径方向に挟まれるように円筒状に第２シール部材１４が設けられている。また、第２シール部材１４は、筒状部１１ｂもしくは拡径部１２ｂのいずれか一方に固定されることが好ましく、本実施形態では、筒状部１１ｂの外周面に固定されている。
【００２５】
第１シール部材１３、第２シール部材１４、第３シール部材１５としては、種々のシール部材、例えば、吸水膨張性不織布（吸水膨張性樹脂を用いた不織布）や、ゴムシート、スポンジシート、ゴムパッキンなどが使用できる。接続操作時に滑りが良くて締付操作がしやすく、シール性も良好であるという観点から、吸水膨張性不織布を含むようにこれらシール部材を構成することが好ましい。これらシール部材は、フランジ部材やネジ部材を成形する際に一体にしてもよいし、成形されたフランジ部材やネジ部材に後工程で接着剤などによって固定してもよい。
【００２６】
本発明の接続構造に使用される締付部材１（フランジ部材１１やネジ部材１２）やベルマウス２は、合成樹脂、好ましくはポリオレフィン系樹脂やポリ塩化ビニル樹脂により、射出成形やブロー成形などの公知の成形方法により成形できる。
【００２７】
図３は本発明の地中埋設管の接続構造を完成する過程の中間段階を示す図である。
まず、ポリエチレン製の地中埋設管３の先端を垂直に切断し、付着した水や泥を拭き取り、締付部材１を地中埋設管３の外側に螺合するように回転させてねじ込む。すなわち、締付部材１のネジ部材１２の螺合部１２ａが地中埋設管３の先端から奥の方すなわち管中央側に位置するように螺入する。その際、螺入する長さは地中埋設管３を固定するハンドホール壁４の厚さよりも長くしておく。この時、フランジ部材１１とネジ部材１２とを、互いに十分にねじ込んでおく。
【００２８】
次いで、地中埋設管３の先端を、ハンドホールの外側からハンドホールの壁４の配管用貫通孔４ｂに挿通する。次いで、地中埋設管３の先端の内側にベルマウス２の本体部２１をねじ込んでいく（図３に示した中間状態）。そして、ベルマウス２を、配管用貫通孔４ｂに挿通された地中埋設管３の先端に、ベルマウスフランジ部２１ｃが当接するまで螺入して、しっかりと固定する。
【００２９】
次いで、締付部材１をハンドホールの壁面４ａに圧接する。すなわち、ハンドホールの外側で締付部材１のネジ部材１２を、接続部材１が壁面４ａに向かって進むように回転させ、フランジ部１１ａ（シール部材１３）がハンドホール壁面４ａに当接する位置まで回転させ、締結する。この際、フランジ部１１ａ（シール部材１３）がハンドホール壁面４ａに当接するまでの間は、フランジ部材１１とネジ部材１２とは一体に回転させていくが、フランジ部１１ａ（シール部材１３）がハンドホール壁面４ａに当接した後は、フランジ部材１１は回転させずに、ネジ部材１２のみを回転させて締め付ける。
その結果、ハンドホールの壁４の内側面でもベルマウス２のフランジ部２１ｃが壁４に密着し、壁４をその内外両面からベルマウス２と締付部材１（フランジ部材１１）とで挟持した状態で地中埋設管３がハンドホールの壁面に設けられた配管用貫通孔４ｂに固定され、図１に示したような接続構造が完成される。
【００３０】
ネジ部材の締め込み操作が行いやすように、ネジ部材１２の外周に、スパナやレンチ、治工具などが係合するような、リブや平面部、ノッチ等を設けることが好ましい。
【００３１】
発明の作用および効果を説明する。
上記実施形態の接続構造によれば、接続操作の際のネジ部材の回転とフランジ部材の前進との関係を、地中埋設管の螺旋形状により定められる関係とは別の関係に変更することができ、接続操作の際の締め込み操作がしやすくなる。
【００３２】
特許文献１や特許文献２に開示される従来技術においては、締付部材（ホルダ）を締めこむ際に、締付部材の回転量と、締込部材の前進量とは、地中埋設管の螺旋のピッチにより関係づけられる。そのため、市場にある既存の地中埋設管を使う以上、回転量と前進量の関係は固定された関係となってしまう。そのため、ある地中埋設管においては、締付部材の回転量に対し前進量が少なく、締付部材を所定量前進させるために締付部材を何回も回転させる必要が生じて、接続作業が煩雑なものとなる。一方で、別の地中埋設管においては、締付部材の回転量に対し前進量が多く、所定の前進力（押し付け力）を発生させるために締付部材に与えるべき回転トルクが大きくなってしまい、接続作業に過大な力が必要になったり、接続構造の締め付け力が不十分になったりする。
【００３３】
本発明の接続構造によれば、フランジ部材１１とネジ部材１２とは、第２のピッチＰ２のネジで螺合しており、第１のピッチＰ１と第２のピッチＰ２が異なるピッチとされているため、接続操作の際のネジ部材の回転とフランジ部材の前進との関係を、地中埋設管の第１のピッチＰ１により定められる関係とは別の関係に変更することができる。すなわち、フランジ部１１ａ（シール部材１３）がハンドホール壁面４ａに当接した後は、フランジ部材１１は回転させずに、ネジ部材１２のみを回転させて締め付けることになるが、この時の、ネジ部材１２を１回転させた際の、地中埋設管３に対するフランジ部材１１の前進量は、Ｐ１−Ｐ２となる。
従って、使用する地中埋設管（ピッチＰ１）に対し、単位回転数あたりの前進量（Ｐ１−Ｐ２）が好ましい値となるように、Ｐ２を決定して、フランジ部材１１とネジ部材１２を構成すれば、接続操作の締め込み操作がしやすくなる。
【００３４】
例えば、上記第１実施形態の地中埋設管接続構造においては、第１のピッチＰ１と第２のピッチＰ２の符号が異なり、フランジ部材１１とネジ部材１２が螺合するネジが、地中埋設管３とネジ部材１２が螺合するネジに対し逆ネジとなっているが、このような、逆ネジの構成とした場合には、単位回転数あたりの前進量（Ｐ１−Ｐ２）を、地中埋設管のピッチＰ１よりも大きくすることができて、締付部材１の締め付けが、より少ない回転数で達成されることになり、締付操作がしやすくなる。特に、締付部材をスパナやレンチ等を用いて締め付ける場合には、締め込み操作が煩雑になりやすいため、このような逆ネジの構成を採用すると、特に締め込み作業を迅速に行うことが可能となり、接続操作の作業性が向上する。
【００３５】
また、上記第１実施形態のように、フランジ部材１１とネジ部材１２の間に、環状の第２シール部材１４が半径方向に挟まれるように設けられる構成とした場合には、第２シール部材１４の摩擦力によりネジ部材１２とフランジ部材１１の相対回転が妨げられることが抑制され、ネジ部材１２の締付操作がよりたやすいものとなる。
【００３６】
また、上記第１実施形態のように、ネジ部材１２とフランジ部材１１の間に設けられるシール部材１４が吸水膨張性不織布を含むものである場合には、シール部材１４と他の部材の間の摩擦力がさらに小さくなって、ネジ部材の締付操作がよりたやすいものとなる。
【００３７】
また、上記第１実施形態のような地中埋設管接続構造によれば、締付部材１を構成するフランジ部材１１とネジ部材１２とが互いに地中埋設管の中心軸回りに相対回転可能とされているため、第１シール部材１３がハンドホール壁面４ａに接触した後は、フランジ部材１１を回転させずにネジ部材１２だけを回転させて締め込み操作を行うことができる。これにより、第１シール部材１３がハンドホール壁面４ａにこすりつけられて、損傷したり、はがれたりしてシール性が不十分になることが抑制される。
【００３８】
発明は、上記実施形態に限定されるものではなく、種々の改変をして実施することができる。以下に発明の他の実施形態について説明するが、以下の説明においては、上記実施形態と異なる部分を中心に説明し、同様である部分についてはその詳細な説明を省略する。また、これらの実施形態は、その一部を互いに組み合わせて、あるいは、その一部を置き換えて実施できる。
【００３９】
上記第１実施形態の説明においては、シール部材１４がフランジ部材１１の筒状部１１ｂの外側に取り付けられる例を説明したが、シール部材１４は、ネジ部材１２の拡径部１２ｂの内周に取り付けられていてもよい。また、フランジ部材１１の筒状部１１ｂと、ネジ部材１２の拡径部１２ｂの内外の関係を逆にすることも可能である。すなわち、互いに相対回転可能であり、ネジ部材とフランジ部材とが互いに螺合される限りにおいて、両者が螺合する部分の具体的構成や構造、シール部材の配置等は、適宜変更することができる。
【００４０】
図４は、第２実施形態の地中埋設管の接続構造に用いられる締付部材５の構造を示す一部断面図である。本実施形態において、フランジ部材５１が管端部側にフランジ部５１ａとリング状の第１シール部材５３を有する点、および、ネジ部材５２が、螺合部５２ａと円筒状の第３シール部材５５を有し、地中埋設管の外周の第１のピッチＰ１の螺旋形状に螺合する点、および、フランジ部材５１の第１筒状部５１ｂと、ネジ部材５２の第２筒状部５２ｂとが中心軸回りに相対回転可能なようにされて、第２のピッチＰ２で互いに螺合している点は、第１実施形態と同様である。本実施形態でも、接続操作の際の締め込み操作がしやすくなる。
【００４１】
第２実施形態においては、地中埋設管とネジ部材５２が螺合する第１のピッチＰ１と、フランジ部材５１とネジ部材５２が螺合する第２のピッチＰ２とは、ピッチＰ１とピッチＰ２は同じ符号であり、第２のピッチＰ２の絶対値が、第１のピッチＰ１の絶対値よりも小さくされている。具体的には、第１のピッチのネジも、第２のピッチのネジも右ネジであり、第２のピッチＰ２は第１のピッチＰ１の約半分の大きさとされている。
【００４２】
第１のピッチＰ１と第２のピッチＰ２の関係が、このようにされていると、ネジ部材を締めこむ際の単位回転数あたりの、地中埋設管に対するフランジ部材５１の前進量（Ｐ１−Ｐ２）が、第１のピッチＰ１よりも小さくなる。したがって、ネジ部材を回転させた際にフランジ部材が前進する量が小さくなって、締め込みの操作に必要な回転トルクを小さくすることができる。このような実施形態は、地中埋設管のピッチ（第１ピッチＰ１）が比較的大きく、締め込みの操作力が過大となりやすい場合において、締め込みトルクを軽減でき、締め込み操作をしやすくできる。
【００４３】
また、第２実施形態においては、フランジ部材５１のフランジ部５１ａと、ネジで螺合する筒状部５１ｂの間に、円筒状の第３筒状部５１ｃが設けられており、対するネジ部材５２には、管端部側に円筒状の第４筒状部５２ｃが設けられている。そして、第２シール部材５４は、第３筒状部５１ｃと第４筒状部５２ｃの間に、半径方向に挟まれるように、円筒状に設けられている。本実施形態のように、第２シール部材は、螺合する部分以外に設けてもよい。
【００４４】
また、第２実施形態の締付部材５のように、ネジ部材５２の第２筒状部５２ｂにおいて螺旋波付じゃばら状に形成された部分が、フランジ部材５１の第１筒状部５１ｂのネジと螺合する部分よりも長く形成されていて、第２筒状部５２ｂの管中央側に第２のピッチのネジの螺合には直接関与しないじゃばら状の部分が設けられていることが好ましい。このようなじゃばら状の区間が設けられていると、ネジ部材５２を締めこむ際に、じゃばら状区間が縮むように弾性変形でき、この部分の伸縮で管の中心軸方向の変位や傾きを吸収することができて、第１シール部材を弾力的に押さえつけることができて、接続構造のシール性の確実さが向上する。なお、このようなじゃばら状の区間の具体的な構成は、第２のピッチのネジ部を延長して形成した形態に限定されず、例えば、複数本のリング状凹凸波付の形状としてもよい。また、前述した第１実施形態の締付部材１のネジ部材１２において、例えば、第２筒状部１２ｂと接続壁１２ｃの間に、同様のじゃばら状の区間を備えさせてもよい。
【００４５】
上記実施形態の説明においては、地中埋設管が、情報通信用の光ファイバケーブルや、送電用の電気ケーブル、通信用の電線等を挿通する管路として用いられる場合を例として、地中埋設管の接続構造について説明したが、地中埋設管の用途は、これら用途に限定されず、他の用途、例えば気体や液体を送る用途や、各種ホースやチューブ等の配管を挿通配置するための用途とすることも可能である。
【産業上の利用可能性】
【００４６】
本発明の地中埋設管の接続構造は、例えば通信ケーブルの敷設に使用でき、施工しやすくシール性も良好であって産業上の利用価値が高い。
【符号の説明】
【００４７】
１    締付部材
１１      フランジ部材
１１ａ        フランジ部
１１ｂ        筒状部（第１筒状部）
１２      ネジ部材
１２ａ        螺合部
１２ｂ        拡径部（第２筒状部）
１２ｃ        接続壁
１３      第１シール部材
１４      第２シール部材
１５      第３シール部材
２    ベルマウス
３    地中埋設管
４    ハンドホール壁
５    締付部材
５１      フランジ部材
５２      ネジ部材
【図１】
0006715098.tif 000002
【図２】
0006715098.tif 000003
【図３】
0006715098.tif 000004
【図４】
0006715098.tif 000005